(57)【要約】【課題】ペン先を軸に収納することが可能なインク式筆記具において、ペン先が収納された非使用時に、ペン先の加工精度などに影響されることなく、インクがペン先から漏れだすことを確実に防止する筆記具を提供する。【解決手段】中空の軸１と、軸１内において軸１の長手方向に移動可能に配置され、内部にインクが収納され、後端部が開口されている筒状のリフィール３と、そのリフィール３の先端部にリフィール３と一体的に取り付けられたチップ７と、チップ７の先端のペン先５を軸１の軸先端開口部１０から突出した状態の使用位置と、軸１内に格納した状態の格納位置との間で移動させ、かつ、これらの位置に解放可能に固定するノックカム機構１１を備えたノック式筆記具Ａにおいて、ペン先５が前記格納位置にある時に、リフィール３の後端の開口部１９に圧接され、その開口部１９を封止する栓体１３を設ける。【選択図】　　　図１
2004082431.tif 000002
【特許請求の範囲】
【請求項１】
中空の軸と、該軸内において該軸の長手方向に移動可能に配置され、内部にインクが収納され、後端部が開口されている筒状のリフィールと、該リフィールの先端部に該リフィールと一体的に取り付けられたチップと、前記チップを、該チップの先端のペン先が前記軸の先端開口部分から突出した状態の使用位置と、前記軸内に格納した状態の格納位置との間で移動し、かつ、これらの位置に解放可能に固定する操作機構を備えた筆記具において、前記ペン先が前記格納位置にある時に、前記リフィールの後端部に圧接され、該後端部を封止する栓体を備えていることを特徴とする、筆記具。
【発明の詳細な説明】
【０００１】
【発明の属する技術分野】
本発明は、内部にインクを収納した筆記具に関する。さらに詳細に言えば、ペン先を筆記具の使用時にのみ軸の先端開口部分から突出させ、筆記具の非使用時には軸内部に収納できる構造を有する筆記具に関する。
【０００２】
【従来の技術】
軸内部のインク収納部にインクを収納し、そこからペン先にインクを供給する筆記具においては、非使用時におけるインク漏れが問題となる。これを防止するために、ボールペンで採用されている構成の一例を説明する。そのペン先の構成は、縦断面図である図５に示すように、中心軸に沿ってインクの流出が可能なインク流路７１を有するチップ６７、自由に回転可能な球であるポイント６１及び圧縮バネ７３からなる。このチップ６７の先端は、ポイント６１の直径よりも内径が小さくなるように絞り込まれ、係止部６９が形成されている。また、圧縮バネ７３は、ポイント６１をインク流路７１の先端出口側へ付勢し、係止部６９に当接させるように配置されている。そのため、ボールペンの非使用時には、圧縮バネ７３により、係止部６９の内側にポイント６１が圧接した状態となるため、係止部６９とポイント６１の間から、インクが漏れることが防止されていた。
【０００３】
【発明が解決しようとする課題】
しかし、上記の構成の場合、完全にインク漏れを防ぐには、高い加工精度が要求され、ペン先の係止部分の加工の精度が十分でない場合は、インク漏れが生ずる。また、ボールペンを落とした場合などには、衝撃により係止部分が損傷を受けることがあり、ポイントと係止部分の間からインクが漏れ出すという問題点があった。
【０００４】
本発明は、上記従来の問題点に鑑みなされたものであり、ペン先の加工精度等の影響を受けずに、インクのペン先からの漏れを確実に防止できる筆記具を提供することを目的としている。
【０００５】
【課題を解決するための手段】
上記目的を達成するために、本発明に係る筆記具は、中空の軸と、該軸内において該軸の長手方向に移動可能に配置され、内部にインクが収納され、後端部が開口されている筒状のリフィールと、該リフィールの先端部に該リフィールと一体的に取り付けられたチップと、前記チップを、該チップの先端のペン先が前記軸の先端開口部分から突出した状態の使用位置と、前記軸内に格納した状態の格納位置との間で移動し、かつ、これらの位置に解放可能に固定する操作機構を備えた筆記具において、前記ペン先が前記格納位置にある時に、前記リフィールの後端部に圧接され、該後端部を封止する栓体を備えている構成とした。
【０００６】
【発明の実施の形態】
以下、図面に基づき本願発明の具体的実施の形態を説明するが、本願発明は以下の実施例に限定されることなく、特許請求の範囲に記載した発明の範囲内で、種々の変形が可能であり、それらも本願発明の範囲に含まれるものである。なお、以下においては、説明の都合上、図中、ペン先方向を先又は前、ペン先の反対方向を後、軸方向を縦、軸方向に垂直な方向を横、として説明するが、これは何ら本発明を限定するものではない。
【０００７】
図１及び図２は、本願発明の具体的実施の形態に係るノック式筆記具Ａの全体縦断面図であり、図１はペン先が軸内に収納され固定された状態を表し、また、図２はペン先が軸の先端から突出し固定された状態を表している。
【０００８】
図１及び図２におけるノック式筆記具Ａは、先端が絞り込まれた円筒状の軸１と、軸１内で縦方向に延び、インクが収納されているインク収納部４を有する円筒状のリフィール３とを備えている。リフィール３の後端は、開放された開口部１９となっている。このリフィール３の先端には、公知のチップ７が固着され、軸１の後端には、軸１の先端の開口部分である軸先端開口部１０からペン先５を出し入れするための、公知のノック式カム機構１１を構成する、ノック棒前部１５ａとノック棒後部１５ｂの２段からなるノック棒１５が設けられている。
【０００９】
チップ７は、内部に公知の如く、インクの流路となる細い穴（図示せず）が形成されおり、その先端であるペン先５の内部には、これも公知の球状のポイント（図示せず）が回転可能で、かつ、脱落を防止されて配置されている。そして、圧縮コイルバネであるバネ９が、チップ７の外周を取り巻くように配置され、その一端は、軸１の先端より少し離れた位置で、軸１内方に突出している内方フランジ２に受け止められ、他端はリフィール３の先端に当接し、リフィール３を後方へ付勢している。
【００１０】
符号１１は、詳細な図示は省略するが、ノック棒１５の後端を押すことにより、ペン先５を軸１の軸先端開口部１０から突出させて位置決め固定し、また、収納させて位置決め固定することのできる、公知のノック式カム機構１１を示している。そして、ノック棒１５の先端には栓体１３が固着されている。また、軸１の後端から少し離れた位置に、内方に突出する内方フランジ２５が形成され、ノック棒１５の中間位置に外方フランジ２７が形成され、圧縮コイルバネである後部バネ１７が、それらにより両端を受け止められて、ノック棒１５の前部１５ａを取り巻くように取り付けられている。後部バネ１７は、ノック棒１５を後方に付勢し、ノック棒１５は、軸１の後端に固定された抜止め部材２９により抜止めされている。
【００１１】
前述の栓体１３は、直径に比べ高さの低い直円柱を形成しており、その直径はリフィール３の開口部１９の外周の直径よりも長い。また、栓体１３は、外気の通気ができない材質、本実施の形態では、弾性体であるゴムを用いて形成されているが、弾性体に限定されるものではない。
【００１２】
このように構成されたノック式筆記具Ａは、以下のように作用する。図１においてチップ７の先端にあるペン先５は、軸１の内部に収納され、非使用位置にある。また、バネ９及び後部バネ１７は伸びた状態にある。この時、バネ９によってリフィール３は後方に押され、リフィール３の後端の開口部１９は、ノック棒１５の先端に固着されている栓体１３に、圧接されて密閉された状態にある。従って、リフィール３のインク収納部４に、開放部１９から空気が侵入することができず、ペン先５からのインクの漏れが防止される。
【００１３】
次に、ノック棒１５の後端を押すことにより、ノック棒１５の先端に固着されている栓体１３が、栓体１３に圧接されているリフィール３を前方に移動させる。そして、公知のノック式カム機構１１によりリフィール３は、前方に移動し使用位置において位置決め固定される。この時、ばね９及び後部バネ１７は縮んだ状態となる。また、ペン先５は、軸１の軸先端開口部１０から突出した状態となる。そしてノック棒１５を離すと、後部バネ１７の作用によりノック棒１５と栓体１３は、押される以前の位置に戻る。図２は、この時の状態を表した、ノック式筆記具Ａの断面図である。ここで、リフィール３の開口部１９と栓体１３は離れた位置にあり、開口部１９は開放されているため、インク収納部４内に空気が入り、ペン先よりインクが出ることが可能となる。
【００１４】
次に、図２の状態においてノック棒１５の後部を再び押すと、ノック式カム機構１１の作用により、リフィール３は使用位置から解放され、バネ９の力によりリフィール３が後方に移動し、非使用位置で位置決め固定される。そして、リフィール３の開口部１９は、ノック棒１５の先端に固着されている栓体１３に圧接し密閉される（図１参照）。従って、リフィール３のインク収納部４に開口部１９から空気が入ることができず、ペン先からのインク漏れが防止される。
【００１５】
図３及び図４は、本願発明の具体的実施の形態に係る回転式筆記具Ｂの全体縦断面図であり、図３はペン先が軸内に収納され固定された状態を表し、また、図４はペン先が軸の先端から突出し固定された状態を表している。
【００１６】
図３及び図４における回転式筆記具Ｂは、先端が絞り込まれた円筒状の軸３１と、軸３１内で縦方向に延び、インクが収納されているインク収納部３４を有する円筒状のリフィール３３とを備えている。リフィール３３の後端は、開放された開口部４９となっている。このリフィール３３の先端には、公知のチップ３７が固着され、軸３１の後端には、軸３１の先端の開口部分である軸先端開口部４０からペン先３５を出し入れするための、公知の回転式カム機構４１を構成するグリップ部５１が設けられている。
【００１７】
なお、チップ３７、ペン先３５及びバネ３９は、それぞれ前述したチップ７、ペン先５及びバネ９と同様であるため、説明を省略する。
【００１８】
符号４１は、詳細な図示は省略するが、グリップ部５１を一方向に回動することにより、ペン先３５を軸３１の先端の軸先端開口部４０から突出させて位置決め固定し、また、収納させて位置決め固定することのできる、公知の回転式カム機構４１を示している。そして、グリップ部５１の先端部に形成された凹所５１ａには、栓体４３が収受固着されている。
【００１９】
グリップ部５１の先端には、傾斜カム４５が形成され、それに係合して軸方向に前後進するスライダー４７が設けられている。スライダー４７は円筒形をしており、その円筒内側にリフィール３３の後端部分が嵌合されている。また、スライダー４７は、軸３１内に長手方向に延びるガイド５３に沿って、回転せずに前後に移動可能である。
【００２０】
前述の栓体４３は、直径に比べ高さの低い直円柱を形成しており、その直径はリフィール３３の開口部４９の外周の直径よりも長い。また、栓体４３は、外気の通気ができない材質、本実施の形態では、弾性体であるゴムを用いて形成されているが、弾性体に限定されるものではない。
【００２１】
このように構成された回転式筆記具Ｂは、以下の機能のように作用する。図３において、チップ３７の先端にあるペン先３５は、軸３１の内部に収納され、非使用位置にある。また、バネ３９は伸びた状態にある。この時、バネ３９によってリフィール３３は後方に押され、リフィール３３の後端の開口部４９は、グリップ部５１の先端に固着されている栓体４３に圧接されている。そのため、リフィール３３は密閉された状態となるため、リフィール３３のインク収納部３４に開放部４９から空気が入ることができず、ペン先３５からのインク漏れが防止される。
【００２２】
次に、グリップ部５１を一方向に手動で回動させることによって、傾斜カム４５の作用によりスライダー４７が前方向に移動し、前位置で固定される。そして、スライダー４７と嵌合され一体となっているリフィール３３も、前方に移動し、使用位置において位置決め固定される。この時、バネ３９は縮んだ状態となる。図４は、この時の状態を表した回転式筆記具Ｂの断面図である。ここで、リフィール３３の開口部４９は、栓体４３とは離れた位置にあり、開口部４９は開放されているため、インク収納部３４内に空気が入り、ペン先よりインクが出ることが可能となる。
【００２３】
次に、図４の状態において、グリップ部５１を前述の方向と逆方向に回動すると、回転式カム機構４１の作用及びバネ３９の力により、スライダー４７が後方向に移動し、後位置で固定される。そして、スライダー４７と嵌合され一体となっているリフィール３３も、使用位置から解放され後方に移動し、非使用位置で位置決め固定される。そして、リフィール３３の開口部４９は、グリップ部５１の先端に固着されている栓体４３に圧接される（図３参照）。従って、リフィール３３の内部に開口部４９から空気が入ることができず、ペン先からのインク漏れが防止される。
【００２４】
なお、上記説明においては、ボールペンを例として説明したが、本願発明はこれに限定されるものではない。例えば、マーキングペンやサインペン等、他の筆記具について本願発明を適用することが可能である。
【００２５】
【発明の効果】
上記説明から明らかなように、本発明では、ペン先が軸の内部に収納され固定された状態においてのみ、栓体がリフィールの開口部と圧接する。そのため、リフィールのインク収納部が密閉されることとなる。よって、空気がリフィール内に進入することができず、そのためペン先から液漏れすることがない。なお、ペン先が軸先端開口部から突出した状態においては、リフィール後端の開口部が開放され、インク収納部に空気が入るため、ペン先よりインクが出る。そのため、筆記に支障を生ずることはない。
【図面の簡単な説明】
【図１】本発明の具体的実施の形態に係るノック式筆記具Ａにおいてペン先５を収納し固定した状態での全体縦断面図である。
【図２】本発明の具体的実施の形態に係るノック式筆記具Ａにおいてペン先５を突出し固定した状態での全体縦断面図である。
【図３】本発明の具体的実施の形態に係る回転式筆記具Ｂにおいてペン先３５を収納し固定した状態での全体縦断面図である。
【図４】本発明の具体的実施の形態に係る回転式筆記具Ｂにおいてペン先３５を突出し固定した状態での全体縦断面図である。
【図５】公知のペン先７０の縦断面図である。
【符号の説明】
Ａ　　　　ノック式筆記具
Ｂ　　　　回転式筆記具
１、３１　軸
２、２５、３２　内方フランジ
３、３３　リフィール
４、３４　インク収納部
５、３５、７０　ペン先
７、３７、６７　チップ
９、３９　バネ
１０、４０　軸先端開口部
１１　ノック式カム機構
１３、４３　栓体
１５　ノック棒
１５ａ　ノック棒前部
１５ｂ　ノック棒後部
１７　後部バネ
１９、４９　開口部
２１、６１、６９　ポイント
２３、６３、６９　係止部
２７　外方フランジ
２９　抜止め部材
４１　回転式カム機構
４５　傾斜カム
４７　スライダー
５１ａ　凹所
５３　ガイド
７１　インク流路
７３　圧縮バネ
【図１】
2004082431.tif 000003
【図２】
2004082431.tif 000004
【図３】
2004082431.tif 000005
【図４】
2004082431.tif 000006
【図５】
2004082431.tif 000007